(57)【特許請求の範囲】
【請求項１】
テープカセットが装着可能なカセットアップ部と、２つの電子ビューファインダーと、前記２つの電子ビューファインダーのうち前記カセットアップ部の上に設けた一方の電子ビューファインダーの開閉に連動して前記２つの電子ビューファインダーの電源を切り替える第１のスイッチと、前記第１のスイッチにより前記カセットアップ部の上に設けた電子ビューファインダーが開状態で電源が供給される場合は第１の状態に、閉状態で電源が供給されない場合は第２の状態に切替可能な第２のスイッチと、前記第２のスイッチに接続する状態または接続しない状態に切り替え可能な第３のスイッチと、前記第３のスイッチと接続するシステムコントロールマイコンとを備え、前記システムコントロールマイコンは、前記第２のスイッチが第１の状態に切り替えられ、かつ前記第３のスイッチが前記第２のスイッチに接続する状態に切り替えられるとき、前記カセットアップ部を上昇するよう制御することを特徴とする液晶一体型磁気記録再生装置。
【発明の詳細な説明】
【０００１】
【産業上の利用分野】
本発明は、２つの異なる形態の電子ビューファインダーを使用条件に応じて切り替えて用いて、ビデオカメラと前記ビデオカメラからの映像信号を磁気テープに録画、再生し各々の使用条件で確認しながら録画、再生できる液晶一体型磁気記録再生装置に関するものであり、特にメカのカセットアップ上に液晶モニターを設けて使用する液晶一体型磁気記録再生装置に関するものである。
【０００２】
【従来の技術】
近年、カメラ一体型磁気記録再生装置（ＶＴＲ）は、従来からの小型で覗いて使用する電子ビューファインダー（ＥＶＦ）と３から４型程度の小型液晶モニターとを搭載し、使用用途に対応して切り替えて利用するものが発売されている。
【０００３】
以下に従来の液晶一体型磁気記録再生装置（ＶＴＲ）について説明する。図３（ａ），（ｂ）は、従来のカメラ一体型ＶＴＲの外観図である。図３（ａ）において、１はカメラ一体型ＶＴＲのレンズ部である。２はカメラ一体型ＶＴＲの本体部である。３はカメラ一体型ＶＴＲに磁気テープを装着するためのカセットアップ部である。４は覗くタイプの電子ビューファインダー（ＥＶＦ）である。図３（ｂ）において６は前述した磁気テープカセットである。
【０００４】
以上のように構成されたカメラ一体型ＶＴＲについて、以下その動作について説明する。まず記録再生する場合には、カメラ一体型ＶＴＲ２のカセットアップ部３を開き、磁気テープカセット６をカセットアップ部３に装着し、カセットアップ部３を閉じることによりメカ部に装着完了して、磁気テープカセット６に記録再生するものである。
【０００５】
【発明が解決しようとする課題】
しかしながら、上記の従来のカメラ一体型ＶＴＲのカセットアップ上に第２の液晶モニターを搭載した液晶一体型ＶＴＲでは、従来のカメラ一体型ＶＴＲでは磁気テープカセットを簡単に脱着可能であったが、前述した２つのファインダー搭載の液晶一体型ＶＴＲではカセットアップ部の上に液晶モニターを構成している為に磁気テープカセットを脱着する際に障害になってしまうと言う不具合が発生する。
【０００６】
本発明は上記従来の問題点を解決するもので、磁気テープカセットを脱着する際に、カセットアップ部の上の液晶モニターとカセットアップ部とが接触するのを防ぐことができる液晶一体型磁気記録再生装置を提供することを目的とする。
【０００７】
【課題を解決するための手段】
この目的を達成するために、本発明の液晶一体型磁気記録再生装置は、テープカセットが装着可能なカセットアップ部と、２つの電子ビューファインダーと、２つの電子ビューファインダーのうちカセットアップ部の上に設けた一方の電子ビューファインダーの開閉に連動して２つの電子ビューファインダーの電源を切り替える第１のスイッチと、第１のスイッチによりカセットアップ部の上に設けた電子ビューファインダーが開状態で電源が供給される場合は第１の状態に、閉状態で電源が供給されない場合は第２の状態に切り替え可能な第２のスイッチと、第２のスイッチに接続する状態または接続しない状態に切り替え可能な第３のスイッチと、第３のスイッチと接続するシステムコントロールマイコンとを備え、システムコントロールマイコンは、第２のスイッチが第１の状態に切り替えられ、かつ第３のスイッチが第２のスイッチに接続する状態に切り替えられるとき、カセットアップ部を上昇するよう制御することを特徴とする構成を有している。
【０００８】
【作用】
この構成によって、液晶一体型ＶＴＲに備えられた液晶モニターが障害になってカセットアップできないことが改善できるとともに液晶モニターが通電されることでカセットアップ可能がわかるというように有効に作用することができる。
【０００９】
【実施例】
以下、本発明の一実施例について図面を参照しながら説明する。図１において、前述した従来技術と同一番号の構成は同様な働きをするものでありその説明は省略する。７はカセットアップ部３に装着した磁気テープカセットを取り出す為の制御スイッチ（以下ＥＪＥＣＴスイッチ）である。８は液晶モニター部９の可動部である。
【００１０】
以上のように構成された液晶一体型ＶＴＲについて、図２を用いてその動作を説明する。
【００１１】
まずＥＶＦ部４を構成するＥＶＦ回路１０と液晶モニター部９を構成するモニター回路１１を備え可動部８に設けたＥＶＦ／モニター切り替えＳＷ１２により電源１３が出力される電源電圧を各々に切り替えて供給する。またスイッチ１２によりＥＪＥＣＴ禁止ＳＷ１５が連動して動作する。ＥＪＥＣＴスイッチ７はシステムコントロールマイコン１４に接続するとともにＥＪＥＣＴ禁止ＳＷ１５にシリーズに接続している。
【００１２】
ＥＶＦ４を用いて撮影している場合はモニター部９は閉じられており可動部８に設けたＥＶＦ／モニター切り替えスイッチ１２はａ側に接続されＥＶＦ回路１０に電源１３の電源電圧を供給している。このとき、ＥＪＥＣＴ禁止ＳＷ１５は開放端子側に切り替えられ、ＥＪＥＣＴ  ＳＷ７はＥＪＥＣＴ禁止ＳＷ１５で開放状態にする構成にしており、ＥＪＥＣＴ  ＳＷ７を操作してもＥＪＥＣＴ操作をシステムコントロールマイコン１４が受け付けず、カセットアップ部３は上昇しない。また液晶モニター部９を使用して撮影する場合は、液晶モニター部９を回動して開く事により可動部８に設けたＥＶＦ／モニター切り替えＳＷ１２がｂ側に接続されることによりモニター回路１１に電源１３の電源電圧が供給されＥＶＦに変わって液晶モニター部９が使用可能となる。ここでＥＪＥＣＴ禁止ＳＷ１５は接地端子に接続された状態になり、ＥＪＥＣＴ  ＳＷ７は接地状態に切り替え可能となり、ＥＪＥＣＴ  ＳＷ７が接地状態のとき、システムコントロールマイコン１４が受け付け、カセットアップ部３が上昇する。液晶モニター部９にカセットアップ部３が上昇した場合でも当たらない様にするために液晶モニター部９の任意の角度でＥＪＥＣＴ  ＳＷ７が作動／非作動にすることも可能であると共に液晶モニター部９に電源が供給された状態でＥＪＥＣＴ  ＳＷ７が動作可能とすることができ液晶モニター部９をパイロットランプ代わりにすることもできる。
【００１３】
【発明の効果】
以上のように本発明は、２つの使用方法のことなる電子ビューファインダーを搭載した液晶一体型ＶＴＲに於いて、カセットアップ部上部に配置した小型の直視型液晶モニターを配置した状態で簡単な方法によりＥＪＥＣＴ機能を有効に活用できるとともに容易に撮影場面に対応した電子ビューファインダーの使い分けができるものである。
【図面の簡単な説明】
【図１】本発明の一実施例の液晶一体型磁気記録再生装置の構成を示す斜視図
【図２】本発明の一実施例のブロック図
【図３】従来のカメラ一体型磁気記録再生装置の外観図
【符号の説明】
１  レンズ部
２  カメラ一体型ＶＴＲ
３  カセットアップ部
４  ＥＶＦ
７  ＥＪＥＣＴ  ＳＷ
８  可動部
９  液晶モニター部
１０  ＥＶＦ回路
１１  モニター回路
１２  ＥＶＦ／モニター切り替えＳＷ
１３  電源
１４  シスコンマイコン
１５  ＥＪＥＣＴ禁止ＳＷ
【図１】
0003586927.tif 000002
【図２】
0003586927.tif 000003
【図３】
0003586927.tif 000004